(57)【要約】【課題】横架材に対する垂木の止めつけを容易、確実にし、かつ、垂木の止めつけ状態を下方から視認可能とし、野地板施工等の後においても視認可能とする。【解決手段】木ねじ１２の軸部１２ｂの挿通される孔１１ａを備えていると共に垂木２０の上面２０ａに添装されるプレート１１と、前記孔１１ａから前記垂木２０を貫通して該垂木２０の載せかけられる横架材３０にねじ込まれる木ねじ１２とを用意し、ついで、前記プレート１１を前記垂木２０の上面２０ａに、該プレート１１の少なくとも一部が当該垂木２０の側方に張り出すように添装すると共に、該垂木２０から側方に張り出される該プレート１１の張り出し部１１’を下方から視認し得るように前記孔１１ａから前記垂木２０を貫通して前記横架材３０に木ねじ１２をねじ込む。【選択図】図３
2011047167.tif 000002
【特許請求の範囲】
【請求項１】
木ねじの軸部の挿通される孔を備えていると共に垂木の上面に添装されるプレートと、前記孔から前記垂木を貫通して該垂木の載せかけられる横架材にねじ込まれる木ねじとを用意し、
前記プレートを前記垂木の上面に、該プレートの少なくとも一部が当該垂木の側方に張り出すように添装すると共に、該垂木から側方に張り出される該プレートの張り出し部分を下方から視認し得るように前記孔から前記垂木を貫通して前記横架材に木ねじをねじ込んで、当該垂木を該横架材に止めつけることを特徴とする垂木の止めつけ方法。
【請求項２】
桁等の横架材に垂木を止めつける止め具であって、木ねじの軸部の挿通される孔を備えていると共に前記垂木の上面に添装された際に当該垂木の上面から側方に張り出す張り出し部を備えているプレートと、前記孔から前記垂木を貫通して前記横架材にねじ込まれる木ねじとを備えており、
前記張り出し部の張り出し量が、前記垂木の上面に前記プレートを該プレートの前記孔を該垂木の幅方向のほぼ中央部に位置づけて添装し、かつ、前記木ねじを該プレートの孔から前記垂木を貫通して前記横架材にねじ込み止めつけた際に下方から視認可能な量としてあることを特徴とする止め具。
【請求項３】
前記プレートが、当該プレートの添装される垂木面に押し込まれる爪片を備えていることを特徴とする請求項２に記載の止め具。
【請求項４】
前記プレートが、前記垂木上面の幅寸法よりも直径寸法の大きい円板状プレートとしてあることを特徴とする請求項２又は請求項３に記載の止め具。
【発明の詳細な説明】
【技術分野】
【０００１】
この発明は、垂木を桁、母屋、棟木等の、いわゆる小屋組の横架材に止めつける垂木の止めつけ方法及び垂木の止め具の提案に関するものであり、より具体的には、垂木の止めつけ状態を当該垂木の止めつけ下方から容易に視認できる垂木の止めつけ方法及び垂木の止め具の提供に関する。
【背景技術】
【０００２】
建物の小屋組において、垂木を桁、母屋、棟木等の横架材に止めつけ、屋根上に付加される各種荷重を受けると共に、台風や竜巻等の風の煽りによる屋根部の破損を防止するようにしており、各垂木が、桁、母屋、棟木等の横架材に対して確実に止めつける必要があった。
【０００３】
かかる点から、図１２及び図１３に示されるような金物を用いて垂木を桁、母屋、棟木等の横架材に止めつけて、この取り付け垂木に対して野地板の張り込み施工等の各種処理を施すことで建物の屋根部を構成するようにしたものがあった。
【０００４】
この図示例に係る金物は、上部片１００ａと下部片１００ｂとが、ほぼ直角をなすように一連に連続して備えられたひねり金物１００（ハリケーンタイ等と称されている。）としてあって、この、ひねり金物１００の上部片１００ａを垂木１１０の側面に、下部片１００ｂを桁、母屋、棟木等の横架材１１１の側面に密着させた状態で、当該上部片１００ａと下部片１００ｂとに設けた孔１０１から釘やビス等の止め具１０２を当該垂木１１０、横架材１１１に打ち込み、又は、ねじ入れて、垂木１１０を横架材１１１に組み付けるようにしたものである。
【０００５】
かかるひねり金物１００は、屋根上において、桁、母屋、棟木等の横架材１１１や垂木１１０に対して、その側方から釘打ちや木ねじのねじ入れ等をなす必要があり、無理な作業姿勢で垂木１１０の止めつけをなす必要があった。また、横架材１１１に組み付けられる各垂木１１０、１１０間に構成される空間内で当該作業をなす必要があることから、作業工具等の取り扱いにも各種の制約を生ずることが多く、特に、並び組み付けられる垂木１１０の納め側において、垂木１１０、１１０間の間隔が極端に狭くなるケースがあり、各種作業工具等を用いた止めつけが難かしく、垂木１１０の組み付けに多くの作業手間を要する不具合があった。
【０００６】
また、かかるひねり金物１００は、金物コストが比較的割高であり、前記作業手間と共に、垂木１１０の取り付け施工コストを高める要因とされていた。
【０００７】
かかる点から、垂木を桁等の横架材に対して、長い木ねじを用いて止めつける垂木の組み付けが試みられている（例えば、特許文献１）。
【先行技術文献】
【特許文献】
【０００８】
【特許文献１】特開２００７−３２７５４０号公報
【発明の概要】
【発明が解決しようとする課題】
【０００９】
しかしながら、桁、母屋、棟木等の横架材に対して垂木を木ねじで直接止めつける手法にあっては、当該止めつけ垂木上に野地板施工等を施してしまうと当該垂木の止めつけ状態を確認することができなくなり、垂木の止めつけ施工の確認作業を当該野地板施工等に入る前に完了しておく必要があり、垂木の止めつけ施工確認の作業スケジュール管理が難しくなる不具合があった。
【００１０】
また、桁等の横架材に対して垂木を木ねじで止めつけ、これに野地板等を張り込み、瓦を葺く等して構成される屋根は、台風や竜巻等の風に煽られた際に、木ねじの頭部が垂木内に沈み込むことがあり、桁等の横架材に垂木を止めつけている木ねじの頭部の下方に空隙（いわゆるパンチング現象）を生ずる不具合があった。また、かかる横架材に対する垂木の取り付けにおいて、必要以上に垂木に木ねじがねじ込まれて、垂木にねじ込まれる木ねじの頭部等で当該垂木にひび割れ等の不具合を生ずることがあった。
【００１１】
かかる点から、垂木の取り付けが容易であり、しかも、野地板等の施工後においても当該垂木の取り付け施工状態の確認をすることができると共に、垂木を桁等の横架材に安定に止めつける垂木の止めつけ方法及び垂木の止め具の提供が求められていた。
【課題を解決するための手段】
【００１２】
かかる課題を解決するために、この発明にあっては、木ねじの軸部の挿通される孔を備えていると共に垂木の上面に添装されるプレートと、前記孔から前記垂木を貫通して該垂木の載せかけられる横架材にねじ込まれる木ねじとを用意し、
前記プレートを前記垂木の上面に、該プレートの少なくとも一部が当該垂木の側方に張り出すように添装すると共に、該垂木から側方に張り出される該プレートの張り出し部分を下方から視認し得るように前記孔から前記垂木を貫通して前記横架材に木ねじをねじ込んで、当該垂木を該横架材に止めつけることを特徴とする垂木の止めつけ方法としてある。
【００１３】
このように構成される垂木の止めつけ方法では、プレートの少なくとも一部を添装対象とされる垂木の上面から側方に張り出すように当該垂木の上面に添装すると共に、この張り出し部分が、横架材に垂木を載せかけ止めつけた際に、下方から視認し得るように該プレートの孔から該垂木を貫通して該横架材に木ねじをねじ入れて垂木を横架材に止めつけてあり、垂木を簡易に横架材に止めつける得ると共に、垂木が横架材に木ねじによって、止めつけてあるか、否かを、屋根上からは勿論、建物の下方からも容易に視認で確認することができる。
【００１４】
このように構成される垂木の止めつけ方法に用いられる止め具は、横架材に架け渡した垂木の上面にプレートを位置づけると共に、木ねじを当該垂木の上方からのねじ入れ操作によって垂木を確実かつ容易に当該横架材に止めつけることができ、垂木の取り付け施工を、ひねり金物におけるような無理な姿勢でなす必要が無く、垂木の取り付けを短時間で、かつ、少ない労力でなすことができる。
【００１５】
また、このように構成される垂木の止めつけ方法に用いられる止め具は、木ねじの軸部の挿通される孔を備えているプレートと、通例の木ねじとで構成することができ、比較的安価に提供できると共に保管管理等が容易であり、現場での取り扱いも容易であって、垂木の取り付け施工コストを割安とすることができると共に、台風や竜巻等で屋根が風で煽られた際にも、木ねじの頭部が垂木内に沈み込むことが無く、当該プレートで確実に支承され、垂木の横架材に対する止めつけ状態を安定に維持することができる。また、プレートの孔の孔縁部によって、木ねじの頭部が支承され、ねじ込み機等による木ねじの必要以上なねじ込みが防止され、木ねじ頭部の垂木内への無理な押し込みに伴う当該垂木の損傷等を効果的に防ぐことができる。
【００１６】
また、このように構成される垂木の止めつけ方法では、横架材に対する垂木の止めつけ状態を、屋根上からだけでなく、下方からも、随意に、容易かつ確実に視認により確認することができ、垂木上に野地板の張り込み施工や瓦葺き施工等をなした後にあっても、桁等の横架材に架け渡し止めつけられた垂木の止めつけ施工状態を下方から、確実に、かつ、容易に視認によって確認をすることができ、垂木の止めつけ施工の確認管理作業に大幅な自由度をもたらし、施工確認作業の管理スケジュールの設定を容易とすることができる。
【００１７】
また、かかる課題を解決するために、この発明にあっては、桁等の横架材に垂木を止めつける止め具であって、木ねじの軸部の挿通される孔を備えていると共に前記垂木の上面に添装された際に当該垂木の上面から側方に張り出す張り出し部を備えているプレートと、前記孔から前記垂木を貫通して前記横架材にねじ込まれる木ねじとを備えており、
前記張り出し部の張り出し量が、前記垂木の上面に前記プレートを該プレートの前記孔を該垂木の幅方向のほぼ中央部に位置づけて添装し、かつ、前記木ねじを該プレートの孔から前記垂木を貫通して前記横架材にねじ込み止めつけた際に下方から視認可能な量としてあることを特徴とする止め具としてある。
【００１８】
このように構成される止め具にあっては、横架材に架け渡した垂木の上面にプレートを位置づけると共に、木ねじを当該垂木の上方からのねじ入れ操作によって垂木を確実かつ容易に当該横架材に止めつけることができ、垂木の取り付け施工を、ひねり金物におけるような無理な姿勢でなす必要が無く、垂木の取り付けを短時間で、かつ、少ない労力でなすことができる。
【００１９】
また、かかる止め具は、木ねじの軸部の挿通される孔を備えているプレートと、通例の木ねじとで構成することができ、比較的安価に提供できると共に保管管理等が容易であり、現場での取り扱いも容易であって、垂木の取り付け施工コストを割安とすることができると共に、台風や竜巻等で屋根が風で煽られた際にも、木ねじの頭部が垂木内に沈み込むことが無く、当該プレートで確実に支承され、垂木の横架材に対する止めつけ状態を安定に維持することができる。
【００２０】
また、このように構成される止め具は、横架材に対する垂木の止めつけ状態を、屋根上からだけでなく、下方からも、随意に、容易かつ確実に視認により確認することができ、垂木上に野地板の張り込み施工や瓦葺き施工等をなした後にあっても、桁等の横架材に架け渡し止めつけられた垂木の止めつけ施工状態を下方から、確実に、かつ、容易に視認によって確認をすることができ、垂木の止めつけ施工の確認管理作業に大幅な自由度をもたらし、施工確認作業の管理スケジュールの設定を容易とすることができる。
【００２１】
また、前記課題を解決するために、前記プレートが、当該プレートの添装される垂木面に押し込まれる爪片を備えていることを特徴とする止め具にあっては、前記特長に併せて、垂木の所要位置に、容易かつ確実にプレートを仮留め状態にセットすることができ、プレートを垂木の目的位置に正確に位置づけた状態で、容易に、木ねじのねじ入れをなすことができる。
【００２２】
また、前記課題を解決するために、前記プレートが、前記垂木上面の幅寸法よりも直径寸法の大きい円板状プレートとしてあることを特徴とする止め具にあっては、前記特長に併せて、当該プレートを垂木上面に対して、当該プレートの周側部分のいずれか一部を垂木の側面から突き出すようにセットすることのみで、当該プレートを下方から視認可能にセットすることができ、横架材に対して前記プレートを備えた状態での垂木の、より円滑かつ確実な止めつけをなすことができる。
【発明の効果】
【００２３】
この発明に係る垂木の止めつけ方法及び垂木の止め具は、桁等の横架材に対して、容易かつ確実に垂木を止めつけ得ると共に、当該横架材に対する垂木の止めつけ状態を下方から容易に視認でき、垂木の止めつけ状態の確認を野地板施工等の後においても確実になし得るようにして、施工状態の確認管理スケジュールを組み易くし、施工工程の管理を容易とすることができる。
【図面の簡単な説明】
【００２４】
【図１】図１は、典型的な止め具１０の部品を分離した状態を斜め上方から見て示している。
【図２】図２は、同止め具１０を用いて垂木２０を各横架材３０に止めつけた状態の建物の要部を斜め上方から見て示している。
【図３】図３は、同止め具１０を用いて垂木２０を横架材３０に止めつける状態の要部を斜め上方から見て示している。
【図４】図４は、同止め具１０を垂木２０に用いて止めつけた状態の要部を断面して示している。
【図５】図５は、同止め具１０を用いて横架材３０としての桁３０ａに垂木２０を止めつけている状態の要部を斜め上方から見て示している。
【図６】図６は、同止め具１０を用いて横架材３０としての桁３０ａに垂木２０を止めつけた状態の要部を断面して示している。
【図７】図７は、同止め具１０を用いて横架材３０としての桁３０ａに垂木２０を止めつけた状態の要部を下方から仰ぎ見て示している。
【図８】図８は、同止め具１０を用いて横架材３０としての母屋３０ｂに垂木２０を止めつけた状態の要部を斜め上方から見て示している。
【図９】図９は、同止め具１０を用いて横架材３０としての母屋３０ｂに垂木２０を止めつけた状態の要部を断面して示している。
【図１０】図１０は、同止め具１０を用いて横架材３０としての棟木３０ｃに垂木２０を止めつけた状態の要部を斜め上方から見て示している。
【図１１】図１１は、同止め具１０を用いて横架材３０としての棟木３０ｃに垂木２０を止めつけた状態の要部を断面して示している。
【図１２】図１２は、従来例の垂木１１０の止めつけ例を示すものであって、いわゆるひねり金物１００を用いて垂木１１０を横架材１１１に止めつけている状態の建物の要部を斜め上方から見て示している。
【図１３】図１３は、この従来手法による垂木１１０の止めつけに用いられるひねり金物１００を斜め上方から見て示している。
【発明を実施するための形態】
【００２５】
この発明に係る典型的な垂木の止めつけ方法は、木ねじ１２の軸部１２ｂの挿通される孔１１ａを備えていると共に垂木２０の上面２０ａに添装されるプレート１１と、前記孔１１ａから前記垂木２０を貫通して該垂木２０の載せかけられる横架材３０にねじ込まれる木ねじ１２とを用意し、ついで、前記プレート１１を前記垂木２０の上面２０ａに、該プレート１１の少なくとも一部が当該垂木２０の側方に張り出すように添装すると共に、該垂木２０から側方に張り出される該プレート１１の張り出し部１１’を下方から視認し得るように前記孔１１ａから前記垂木２０を貫通して前記横架材３０に木ねじ１２をねじ込み、木ねじ１２の頭部１２ａを前記プレート１１の上面に押し当てて、当該垂木２０を該横架材３０に止めつけることで、垂木２０を横架材３０に止めつけることができる。
【００２６】
かかる垂木２０の止めつけ方法では、プレート１１の少なくとも一部を添装対象とされる垂木２０の上面２０ａから側方に張り出すように当該垂木２０上面２０ａに添装すると共に、この張り出し部１１’が、横架材３０に垂木２０を載せかけ止めつけた際に、下方から視認し得るように、該プレート１１の孔１１ａから該垂木２０を貫通して該横架材３０に木ねじ１２をねじ入れて該プレート１１を座とするようにして、該垂木２０と前記横架材３０とを止めつけるようにしてあり、これによって、垂木２０を容易かつ迅速に横架材３０に止めつけ得ると共に、垂木２０が横架材３０に木ねじ１２によって、止めつけてあるか、否かを下方から容易に確認することができる。
なお、ここで、垂木２０とは、典型的には、木造建築にあって、屋根又は屋根の下地材を支えるために棟木３０ｃから母屋３０ｂまたは軒桁３０ａに架け渡す材をいう。
【００２７】
また、ここで用いられるプレート１１は、木ねじ１２の座として機能し、台風や竜巻等の強風に伴う煽りだしに際して孔１１ａに挿通された木ねじ１２の頭部１２ａを確実に支承し、当該煽り出しに伴って変形したり、木ねじ頭部１２ａのめり込まない硬さを備えたものであれば、いかなる素材によって構成してあってもよい。
【００２８】
また、添装対象とされる垂木２０の側方から張り出されると共に、前記木ねじ１２を当該プレート１１の孔１１ａから垂木２０を貫通して横架材３０にねじ入れた際に、下方から視認可能な張り出し部１１’を備えるものであれば、いかなる大きさ、形状に構成してあってもよい。従って、該プレート１１を各種の角形、円形、楕円形に構成してあっても、雲形等の任意の形状に構成してあってもよく、当該プレート１１に備えられている孔１１ａから木ねじ１２を垂木２０を貫通して横架材３０にねじ入れて横架材３０に垂木２０を止めつけた際に、当該プレート１１の少なくとも一部が、該添装垂木２０の側方に張り出して、下方から視認し得る張り出し量となるように構成されておれば、いかなるプレート１１であってもよい。例えば、長方形に構成されたプレート１１のほぼ中央部に孔１１ａを設け、この孔１１ａから垂木２０を貫通して横架材３０に木ねじ１２をねじ入れて、当該垂木２０に備え付けたプレート１１が、垂木２０の幅ｙ方向（すなわち短幅方向）から各側方に突き出して下方から視認可能な張り出し部１１’を備えるように構成してあっても、また、このように長方形に構成されプレート１１を、その長方形に構成されたプレート１１の長手向きにある一側部側を当該垂木２０から突き出さずに当該垂木２０の上面２０ａ内に留まる形状とし、かつ、当該長手向きの他側部側を当該垂木２０の側方から突き出して垂木２０に添装すると共に、当該プレート１１の孔１１ａから垂木２０を貫通して横架材３０に木ねじ１２をねじ入れて横架材３０に垂木２０を止めつけた際に、この垂木２０からの突き出し部分が、下方から視認可能な張り出し部１１’をなすように構成してあってもよい。
【００２９】
また、当該プレート１１に備えられている孔１１ａは、垂木２０を桁等の横架材３０に止めつける木ねじ１２の軸部１２ｂが挿通可能であり、かつ、孔周縁のプレート部分で該木ねじ１２の頭部１２ａを支承しうる孔１１ａであれば、いかなる形態の孔１１ａであってもよく、この木ねじ１２の頭部１２ａを受け入れるように孔１１ａの周縁のプレート部分を凹ませるように構成してあってもよい。
【００３０】
また、前記木ねじ１２は、桁３０ａ、母屋３０ｂ、棟木３０ｃ等の横架材３０に載せかけられる垂木２０を貫通して、当該垂木２０から横架材３０にねじ込まれて、当該垂木２０を横架材３０に確実に止めつけ得る強度と長さとを備えるものであれば、いかなる態様の木ねじ１２であってもよい。また、この木ねじ１２は、プレート１１の孔１１ａの孔径よりも大きい直径の頭部１２ａを備えており、この頭部１２ａが孔１１ａ周縁のプレート１１の面に接して、該プレート１１の孔１１ａに軸部１２ｂを挿通した当該木ねじ１２が抜け出さない構成としてある。
【００３１】
このように構成される止め具１０にあっては、横架材３０に架け渡した垂木２０の上面２０ａにプレート１１を位置づけると共に、木ねじ１２を当該垂木２０の上方からのねじ入れ操作によってプレート１１を座として垂木２０を確実かつ容易に当該横架材３０に止めつけることができ、垂木２０の取り付け施工を、ひねり金物におけるような無理な姿勢でなす必要が無く、垂木２０の取り付けを短時間で、かつ、少ない労力でなすことができる特長を有する。
【００３２】
また、かかる止め具１０は、木ねじ１２の軸部１２ｂの挿通される孔１１ａを備えているプレート１１と、通例の木ねじ１２とで構成することができ、比較的安価に提供できると共に保管管理等が容易であり、現場での取り扱いも容易であって、垂木２０の取り付け施工コストを割安とすることができると共に、台風や竜巻等で屋根が風で煽られた際にも、木ねじ１２の頭部１２ａがプレート１１の面で受けられて垂木２０内に沈み込むことが無く、当該プレート１１で確実に支承され、垂木２０の横架材３０に対する止めつけ状態を安定に維持することができる特長を有する。
【００３３】
また、このように構成される止め具１０は、横架材３０に対する垂木２０の止めつけ状態を、屋根上からだけでなく、下方からも、随意に、容易かつ確実に視認により確認することができ、垂木２０上に野地板４０の張り込み施工や瓦葺き施工等をなした後にあっても、桁等の横架材３０に架け渡し止めつけられた垂木２０の止めつけ施工状態を下方から、確実に、かつ、容易に視認によって確認をすることができ、垂木２０の止めつけ施工の確認管理作業に大幅な自由度をもたらし、施工確認作業の管理スケジュールの設定を容易とすることができる特長を有する。
【００３４】
かかる垂木２０の止めつけ方法は、桁３０ａ、母屋３０ｂ、棟木３０ｃ等の横架材３０に架け渡される垂木２０の止めつけ部の全てに前記の止めつけ方法で当該垂木２０を横架材３０に止めつけるように施してあっても、また、横架材３０に対する垂木２０の止めつけ部の一部分だけを前記垂木２０の止めつけ方法で当該垂木２０を横架材３０に止めつけるように施してあってもよい。すなわち、かかる止めつけ方法による垂木２０の横架材３０に対する止めつけは、例えば、従来のひねり金物等の用い難い垂木２０の止めつけ部分である横架材３０としての桁３０ａに垂木２０を止めつける際にのみ用い、他の横架材３０に対する垂木２０の止めつけを従来の手法によって止めつけるようにしてあっても、また、安定した止めつけ状態の維持が特に要請される横架材３０としての桁３０ａと棟木３０ｃとに対する垂木２０の止めつけを、前記垂木２０の止めつけ方法で止めつけ、母屋３０ｂに対する垂木２０の止めつけを従来手法によって止めつけるようにしてあってもよい。また、桁３０ａ、母屋３０ｂ、棟木３０ｃ等の横架材３０に垂木２０を架け渡して構成される小屋組の要所を前記垂木２０の止めつけ方法で当該垂木２０を横架材３０に止めつけ、他の部分を従来手法で止めつけるようにしてあってもよい。さらにまた、桁３０ａ、母屋３０ｂ、棟木３０ｃ等の横架材３０に載せかけられる垂木２０の当該載せかけ部分の全てを前記垂木２０の止めつけ方法で当該垂木２０と横架材３０とを止めつけるようにしてあってもよい。
【００３５】
ついで、当該垂木２０の止めつけに用いられる典型的な止め具１０は、桁等の横架材３０に垂木２０を止めつける止め具１０であって、木ねじ１２の軸部１２ｂの挿通される孔１１ａを備えていると共に前記垂木２０の上面２０ａに添装された際に当該垂木２０の上面２０ａから側方に張り出す張り出し部１１’を備えているプレート１１と、前記孔１１ａから前記垂木２０を貫通して前記横架材３０にねじ込まれる木ねじ１２とを備えており、
前記張り出し部１１’の張り出し量が、前記垂木２０の上面２０ａに前記プレート１１を該プレート１１の前記孔１１ａを該垂木２０の幅ｙ方向（すなわち短幅ｙ方向）のほぼ中央部に位置づけて添装し、かつ、前記木ねじ１２を該プレート１１の孔１１ａから前記垂木２０を貫通して前記横架材３０にねじ込み、該木ねじ１２の頭部１２ａをプレート１１の上面に押しつけるように止めつけた際に、下方から視認可能な量となるように構成してある。
【００３６】
なお、ここで用いられるプレート１１は、木ねじ１２の座として機能し、台風や竜巻等の強風に伴う煽りだしに際して木ねじ１２の頭部１２ａを確実に支承し、当該煽り出しに伴って変形したり、木ねじ頭部１２ａのめり込まない硬さを備えたものであれば、いかなる素材によって構成してあってもよい。
【００３７】
また、添装対象とされる垂木２０の上面２０ａに、前記プレート１１を該プレート１１の前記孔１１ａを該垂木２０の幅ｙ方向のほぼ中央部に位置づけて添装し、かつ、前記木ねじ１２を該プレート１１の孔１１ａから前記垂木２０を貫通して前記横架材３０にねじ込み、該木ねじ１２の頭部１２ａをプレート１１の上面に押しつけるように止めつけた際に、下方から視認可能な張り出し部１１’を備えるものであれば、いかなる大きさ、形状に構成してあってもよい。従って、該プレート１１を各種の角形、円形、楕円形に構成してあっても、雲形等の任意の形状に構成してあってもよく、当該プレート１１に備えられている孔１１ａを垂木２０の幅ｙ方向のほぼ中央部に位置づけ状態に添装すると共に該孔１１ａから、木ねじ１２を垂木２０を貫通して該木ねじ１２の頭部１２ａをプレート１１の上面に押しつけるように横架材３０にねじ入れた際に、当該プレート１１の少なくとも一部が、該添装垂木２０の側方に張り出して、下方から視認し得る張り出し量となるように構成されておれば、いかなるプレート１１であってもよい。例えば、長方形に構成されたプレート１１のほぼ中央部に孔１１ａを設け、垂木２０の上面２０ａの幅ｙ方向のほぼ中央部に該孔１１ａを位置づけて、この孔１１ａから垂木２０を貫通して横架材３０に木ねじ１２をねじ入れて、当該垂木２０に備え付けたプレート１１が、垂木２０の幅ｙ方向から各側方に突き出して下方から視認可能な張り出し部１１’を備えるように構成してあっても、また、このように長方形に構成されプレート１１を、その長方形に構成されたプレート１１の長手向きにある一側部側を当該垂木２０から突き出さずに当該垂木２０の上面２０ａ内に留まるように添装し、かつ、この垂木２０の幅ｙ方向のほぼ中央部に該プレート１１の孔１１ａを位置づけるようになすと共に、当該長手向きの他側部側を当該垂木２０の側方から突き出させた状態で、当該プレート１１の孔１１ａから垂木２０を貫通して横架材３０に木ねじ１２をねじ入れ、この垂木２０からの突き出し部分を、下方から視認可能な張り出し部１１’をなすように構成してあってもよい。
【００３８】
また、当該プレート１１に備えられている孔１１ａは、垂木２０を桁等の横架材３０に止めつける木ねじ１２の軸部１２ｂが挿通可能であり、かつ、孔周縁のプレート部分で該木ねじ１２の頭部１２ａを支承しうる孔１１ａであれば、いかなる形態の孔１１ａであってもよく、この木ねじ１２の頭部１２ａを受け入れ支承するように孔１１ａの周縁のプレート部分を凹ませるように構成してあってもよい。
【００３９】
また、前記木ねじ１２は、桁３０ａ、母屋３０ｂ、棟木３０ｃ等の横架材３０に載せかけられる垂木２０を貫通して、当該垂木２０から横架材３０にねじ込まれて、当該垂木２０を横架材３０に確実に止めつけ得る強度と長さとを備えるものであれば、いかなる態様の木ねじ１２であってもよい。
【００４０】
このように構成される止め具１０にあっては、横架材３０に架け渡した垂木２０の上面２０ａの幅ｙ方向のほぼ中央部にプレート１１の孔１１ａを位置づけると共に、木ねじ１２を該孔１１ａから当該垂木２０に向けて、該プレート１１の上面に木ねじ１２の頭部１２ａを押しつけるようにねじ入れる操作のみで垂木２０を確実かつ容易に当該横架材３０に止めつけることができ、垂木２０の取り付け施工を、ひねり金物におけるような無理な姿勢でなす必要が無く、垂木２０の取り付けを短時間で、かつ、少ない労力でなすことができる特長を有する。
【００４１】
また、かかる止め具１０は、木ねじ１２の軸部１２ｂの挿通される孔１１ａを備えているプレート１１と、通例の木ねじ１２とで構成することができ、比較的安価に提供できると共に保管管理等が容易であり、現場での取り扱いも容易であって、垂木２０の取り付け施工コストを割安とすることができると共に、台風や竜巻等で屋根が風で煽られた際にも、木ねじ１２の頭部１２ａが垂木２０内に沈み込むことが無く、当該プレート１１で確実に支承され、垂木２０の横架材３０に対する止めつけ状態を安定に維持することができる特長を有する。
【００４２】
また、このように構成される止め具１０は、横架材３０に対する垂木２０の止めつけ状態を、屋根上からだけでなく、下方からも、随意に、容易かつ確実に視認により確認することができ、垂木２０上に野地板４０の張り込み施工や瓦葺き施工等をなした後にあっても、桁等の横架材３０に架け渡し止めつけられた垂木２０の止めつけ施工状態を下方から、確実に、かつ、容易に視認によって確認をすることができ、垂木２０の止めつけ施工の確認管理作業に大幅な自由度をもたらし、施工確認作業の管理スケジュールの設定を容易とすることができる特長を有する。
【００４３】
また、前記構成からなる止め具１０にあって、前記プレート１１が、当該プレート１１の添装される垂木２０面に押し込まれる爪片１１ｃを備えていることを特徴とする止め具１０にあっては、垂木２０の所要位置に、容易かつ確実にプレート１１を仮留め状態にセットすることができ、プレート１１を垂木２０の目的位置に正確に位置づけた状態で、容易に、木ねじ１２のねじ入れをなすことができる特長を有する。
【００４４】
また、前記構成からなる止め具１０にあって、前記プレート１１が、前記垂木２０の上面２０ａの幅寸法よりも直径寸法の大きい円板状プレート１１としてあることを特徴とする止め具１０にあっては、当該プレート１１を垂木２０上面２０ａに対して、当該プレート１１の周側部分のいずれか一部を垂木２０の側面から突き出すようにセットすることのみで、当該プレート１１を下方から視認可能にセットすることができ、横架材３０に対して前記プレート１１を備えた状態での垂木２０の、より円滑かつ確実な止めつけをなすことができる特長を有する。
【００４５】
まず、図１〜図４に示される典型的な垂木２０の止めつけ方法及び垂木２０の止め具１０について説明する。当該垂木２０は、典型的には、小屋組を構成する桁３０ａ、母屋３０ｂ、棟木３０ｃに架け渡し止めつけられて屋根又は屋根の下地材を支える手段として用いられる。
【００４６】
この図示例に係る止め具１０は、木ねじ１２と当該木ねじ１２の頭部１２ａが通り抜けず、且つ、軸部１２ｂの挿通される孔１１ａを備えるプレート１１を備えて構成してある。また、当該止め具１０の用いられる垂木２０は、所定間隔毎に、桁３０ａ、母屋３０ｂ、棟木３０ｃ等の横架材３０間に架け渡されるように並設されて野地板４０の張り込み等に供されるものであって、垂木欠き３１の施された桁３０ａ、母屋３０ｂ、棟木３０ｃ等の横架材３０間に架け渡されるように当該垂木欠き３１部上に載せかけられて当該止め具１０で該横架材３０に止めつけられる。
【００４７】
この図示例に係るプレート１１は、前記垂木２０上面２０ａの幅（短幅）寸法よりも直径寸法の大きい円形板の円板状プレート１１として構成してあり、その、ほぼ中央部分に孔１１ａを備えており、この孔１１ａの孔縁に続く周縁のプレート部分を該プレート１１の表面側から裏面側に向けてプレスで屈曲した凹部１１ｂとしてあり、この凹部１１ｂの孔１１ａに連続している底板部１１ｂ”に木ねじ１２の頭部１２ａを支承した状態で該凹部１１ｂ内に木ねじ１２の頭部１２ａが納まって該凹部１１ｂから木ねじ１２の頭部１２ａが上方に突き出さない周壁部１１ｂ’の落とし込み寸法となるように、該凹部１１ｂを構成してある。従って、該凹部１１ｂは、用いられる木ねじ１２の各形態に都合よく適合するように構成されるのが好ましい。また、孔１１ａは、該孔１１ａに木ねじ１２の軸部１２ｂを挿通して該木ねじ１２の頭部１２ａが前記底板部１１ｂ”によって確実に支承される孔径としてあることが好ましい。
【００４８】
また、この図示例では、前記プレート１１の打ち抜きや、孔１１ａの打ち抜き、凹部１１ｂのプレス等に際して爪片１１ｃを打ち抜き形成してある。この爪片１１ｃは、例えばＶ字状の抜き刃とＶ字状に打ち抜かれるプレート部分を裏側に押し出すプレス部とを備える成形手段によって構成することができ、プレート１１に対してほぼ直角に裏面側に突き出すように構成してある。
【００４９】
このように構成されるプレート１１は、桁３０ａ、母屋３０ｂ、棟木３０ｃ等の横架材３０に掛け渡し状態に組み付けられる垂木２０の上面２０ａの幅寸法よりも直径寸法が大きく構成されており、この上面２０ａの幅寸法を超えた外周部分が当該垂木２０の上面２０ａから張り出すようにしてあり、しかも、この垂木２０の上面２０ａからの張り出し部１１’の張り出し量が、垂木２０を横架材３０の垂木欠き３１に載せ掛けて木ねじ１２の頭部１２ａをプレート１１の上面に押しつけるように当該木ねじ１２を垂木２０を貫通して横架材３０にねじ入れ止めつけた際に、下方から視認できる量となるように構成してある。
【００５０】
この図示例にあっては、横架材３０の垂木欠き３１に載せ掛けるように掛け渡した垂木２０の上面２０ａの幅ｙ方向のほぼ中心を通る長手向きの仮想の線分上に、該プレート１１の孔１１ａを位置づけるようにして（すなわち、垂木２０の上面２０ａの幅ｙ方向のほぼ中央部に孔１１ａを位置づけるようにして）、この孔１１ａから、垂木２０を貫通して横架材３０に木ねじ１２を該木ねじ１２の頭部１２ａをプレート１１の上面に押しつけるようにねじ入れて当該垂木２０を横架材３０に止めつける。
【００５１】
かかる木ねじ１２は、垂木２０から横架材３０に十分にねじ入れ得る長さを備え、かつ、台風や竜巻等の強風の煽りによって垂木２０が横架材３０から分離されることのない強度を備えるものが用いられる。
【００５２】
また、前記プレート１１は、該プレート１１の孔１１ａから垂木２０を貫通させて横架材３０に木ねじ１２を強くねじ入れた際や、木ねじ１２で該横架材３０に止めつけた垂木２０が台風や竜巻等の強風で煽られた際にも、変形や、木ねじ１２の頭部１２ａによる孔１１ａの縁部の破損等を生じない強度を備えた構成としてあり、例えば、所定厚さの鋼板やステンレス板等で構成することができる。
【００５３】
かかる止め具１０は、前記垂木２０の止めつけ方法で、例えば、図１〜図４に示されるように横架材３０に対する垂木２０の止めつけに用いることができる。まず、横架材３０の垂木欠き３１上に載せ掛けた垂木２０の上面２０ａに、当該垂木２０の上面２０ａから該プレート１１の少なくとも一部を側方に張り出して、この垂木２０の上面２０ａから側方に張り出した張り出し部１１’（この、図示例では、円板状プレート１１の孔１１ａを垂木２０の上面２０ａの幅ｙ方向のほぼ中央部に位置づけて、この円板状プレート１１における垂木２０の上面２０ａから側方に張り出した張り出し部１１’）が、垂木２０の横架材３０に対する止めつけ後に下方から視認し得るようにし、爪片１１ｃを垂木２０の上面２０ａに打ち付け、仮止め状態にする。この状態で、孔１１ａから木ねじ１２を、横架材３０に対して垂木２０側から、この木ねじ１２の頭部１２ａをプレート１１の上面に押しつけるようにねじ入れ、当該垂木２０を横架材３０に止めつける。
【００５４】
このように横架材３０に止めつけられる垂木２０は、下方からプレート１１の張り出し部１１’の存在の有無を確認することで、その止めつけ状態を確認することができる。
【００５５】
また、このように止めつけられる垂木２０は、台風や竜巻等の強風で煽られた際にも、木ねじ１２の頭部１２ａがプレート１１のプレート面や凹部１１ｂの底板部１１ｂ”によって支承され、木ねじ１２がプレート１１を座として垂木２０と横架材３０にねじ込まれるように機能し、垂木２０を強固に横架材３０にねじ止めする。
【００５６】
また、この図示例のように孔１１ａの周側のプレート部分に凹部１１ｂを備えたプレート１１では、プレート面と木ねじ１２の頭部１２ａ頂面とが面一となって、垂木２０の止めつけ面に引っ掛かり等の凹凸部を生ずることがなく、野地板４０施工等を安全かつ円滑に行うことができる。
【００５７】
なお、図２においては、桁３０ａ、母屋３０ｂ、棟木３０ｃ等の横架材３０に対する垂木２０の止めつけを前記垂木２０の止めつけ方法及び止め具１０で止めつけてあるが、横架材３０としての桁３０ａに対する垂木２０の止めつけに前記垂木２０の止めつけ方法及び止め具１０を用い、他の母屋３０ｂ、棟木３０ｃに対する垂木２０の止めつけを、プレート１１を用いない木ねじ１２のみや従前のひねり金物による止めつけでなすようにしてあってもよい。また、桁３０ａと棟木３０ｃに対する垂木２０の止めつけを前記垂木２０の止めつけ方法及び止め具１０でなすと共に母屋３０ｂに対する垂木２０の止めつけを、プレート１１を用いない木ねじ１２のみや、従前のひねり金物でなすようにしてあってもよい。さらに、特に、煽りに対応する必要な部分にある垂木２０を前記垂木２０の止めつけ方法及び止め具１０で横架材３０に止めつけ、他の部分にある垂木２０は、プレート１１を用いない木ねじ１２のみや従前のひねり金物によって横架材３０に止めつけるようにしてあってもよい。
【００５８】
図５〜図７は、横架材３０の典型例である桁３０ａに垂木２０を前記垂木２０の止めつけ方法及び止め具１０で止めつけた状態を示すものであって、軒先における垂木２０の止めつけを上方からの作業のみで可能とし、手際よく、安全に、かつ、効率良く垂木２０の止めつけを可能とし、しかも、図７に示されるように下方からプレート１１の張り出し部１１’を随時に視認することができ、逐一、屋根に上がって、垂木２０の止めつけ状態を確認する必要がなく、垂木２０の止めつけ状態の確認を容易なものとし、しかも、野地板４０等の施工後においても、下方から、当該垂木２０の止めつけ状態を前記張り出し部１１’の有無の確認によってなすことができる。
【００５９】
図８及び図９は、横架材３０の典型例である母屋３０ｂに垂木２０を前記垂木２０の止めつけ方法及び止め具１０で止めつけた状態を示すものであって、垂木２０の止めつけを上方からの作業のみで可能とし、手際よく、かつ、効率良く垂木２０の止めつけを可能とし、しかも、下方からプレート１１の張り出し部１１’を随時に視認することができ、逐一、屋根に上がって、垂木２０の止めつけ状態を確認する必要がなく、垂木２０の止めつけ状態の確認を容易なものとし、しかも、野地板４０等の施工後においても、下方から、当該垂木２０の止めつけ状態を前記張り出し部１１’の有無の確認によってなすことができる。
【００６０】
図１０及び図１１は、横架材３０の典型例である棟木３０ｃに対して、その両側方から垂木２０を前記垂木２０の止めつけ方法及び止め具１０で止めつけた状態を示すものであって、垂木２０の止めつけを上方からの作業のみで可能とし、手際よく、かつ、効率良く垂木２０の止めつけを可能とし、しかも、下方からプレート１１の張り出し部１１’を随時に視認することができ、逐一、屋根に上がって、垂木２０の止めつけ状態を確認する必要がなく、垂木２０の止めつけ状態の確認を容易なものとし、しかも、野地板４０等の施工後においても、下方から、当該垂木２０の止めつけ状態を前記張り出し部１１’の有無の確認によってなすことができる。
【符号の説明】
【００６１】
１０  止め具
１１  プレート
１１ａ  孔
１２  木ねじ
２０  垂木
３０  横架材
【図１】
2011047167.tif 000003
【図２】
2011047167.tif 000004
【図３】
2011047167.tif 000005
【図４】
2011047167.tif 000006
【図５】
2011047167.tif 000007
【図６】
2011047167.tif 000008
【図７】
2011047167.tif 000009
【図８】
2011047167.tif 000010
【図９】
2011047167.tif 000011
【図１０】
2011047167.tif 000012
【図１１】
2011047167.tif 000013
【図１２】
2011047167.tif 000014
【図１３】
2011047167.tif 000015